【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
鍵盤装置で演奏された楽曲の演奏データを入力するデータ入力手段と、
前記鍵盤装置の鍵盤の画像および当該鍵盤を演奏中の手の画像を撮像する撮像手段と、
前記楽曲に対する演奏練習用の曲データを作成する際に、前記データ入力手段によって入力された演奏データ並びに前記撮像手段によって撮像された鍵盤の画像および演奏中の手の画像から検出された手の位置および傾きに基づいて、所定の表示手段に表示して演奏する手の動きを練習するための画像データを含めて作成するデータ作成手段と、
を備えた演奏データ作成システム。
【請求項２】
前記データ作成手段は、手の甲の複数箇所に施された異なる色彩に基づいて手の位置および傾きを検出することを特徴とする請求項１に記載の演奏データ作成システム。
【請求項３】
前記データ作成手段は、各指先に施された異なる色彩を検出することによって演奏練習用の運指の画像データを作成することを特徴とする請求項１に記載の演奏データ作成システム。
【請求項４】
前記データ作成手段によって作成された演奏練習用の画像データが前記表示手段に表示された場合において、所定の操作手段から入力された修正データに応じて当該画像データを修正するデータ修正手段をさらに備えたことを特徴とする請求項１、２又は３に記載の演奏データ作成システム。
【請求項５】
コンピュータに、
鍵盤装置で演奏された楽曲の演奏データを入力する第１のステップと、
前記鍵盤装置の鍵盤の画像および当該鍵盤を演奏中の手の画像を所定の撮像手段によって撮像する第２のステップと、
前記楽曲に対する演奏練習用の曲データを作成する際に、前記第１のステップによって入力された演奏データ並びに前記第２のステップによって撮像された鍵盤の画像および演奏中の手の画像から検出された手の位置および傾きに基づいて、所定の表示手段に表示して演奏する手の動きを練習するための画像データを含めて作成する第３のステップと、
を実行させる演奏データ作成処理のプログラム。
【請求項６】
前記第３のステップは、手の甲の複数箇所に施された異なる色彩に基づいて手の位置および傾きを検出することを特徴とする請求項５に記載の演奏データ処理のプログラム。
【請求項７】
前記第３のステップは、各指先に施された異なる色彩を検出することによって演奏練習用の運指の画像データを作成することを特徴とする請求項５に記載の演奏データ作成処理のプログラム。
【請求項８】
前記第３のステップによって作成された演奏練習用の画像データが前記表示手段に表示された場合において、所定の操作手段から入力された修正データに応じて当該画像データを修正する第４のステップをさらに有することを特徴とする請求項５、６又は７に記載の演奏データ処理のプログラム。
【手続補正２】
【補正対象書類名】明細書
【補正対象項目名】０００５
【補正方法】変更
【補正の内容】
【０００５】
請求項１に記載の演奏データ作成システムは、鍵盤装置（実施形態においては、図１および図２の電子楽器１に相当する）で演奏された楽曲の演奏データを入力するデータ入力手段（実施形態においては、図２のＣＰＵ１１およびＭＩＤＩ・インターフェース１６に相当する）と、鍵盤装置の鍵盤の画像および当該鍵盤を演奏中の手の画像を撮像する撮像手段（実施形態においては、図２のカメラ５に相当する）と、楽曲に対する演奏練習用の曲データを作成する際に、データ入力手段によって入力された演奏データ並びに撮像手段によって撮像された鍵盤の画像および演奏中の手の画像から検出された手の位置および傾きに基づいて、所定の表示手段（実施形態においては、図２の表示部１５に相当する）に表示して演奏する手の動きを練習するための画像データを含めて作成するデータ作成手段（実施形態においては、図２のＣＰＵ１１に相当する）と、を備えた構成になっている。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
請求項１の演奏データ作成システムにおいて、請求項２に記載したように、データ作成手段は、手の甲の複数箇所に施された異なる色彩（実施形態においては、手の甲に貼付された５個のシールに相当する）に基づいて手の位置および傾きを検出するような構成にしてもよい。
【手続補正５】
【補正対象書類名】明細書
【補正対象項目名】０００８
【補正方法】変更
【補正の内容】
【０００８】
請求項１の演奏データ作成システムにおいて、請求項３に記載したように、データ作成手段は、各指先に施された異なる色彩（実施形態においては、各指の爪に貼付されたシールに相当する）を検出することによって演奏練習用の運指の画像データを作成するような構成にしてもよい。
【手続補正６】
【補正対象書類名】明細書
【補正対象項目名】０００９
【補正方法】変更
【補正の内容】
【０００９】
請求項１、２又は３の演奏データ作成システムにおいて、請求項４に記載したように、データ作成手段によって作成された演奏練習用の画像データが表示手段に表示された場合において、所定の操作手段（実施形態においては、図２のスイッチ部１４に相当する）から入力された修正データに応じて当該画像データを修正するデータ修正手段（実施形態においては、図２のＣＰＵ１１に相当する）をさらに備えた構成にしてもよい。
【手続補正７】
【補正対象書類名】明細書
【補正対象項目名】００１０
【補正方法】変更
【補正の内容】
【００１０】
請求項５に記載の演奏データ作成処理のプログラムは、コンピュータに、鍵盤装置（実施形態においては、図１および図２の電子楽器１に相当する）で演奏された楽曲の演奏データを入力する第１のステップと、鍵盤装置の鍵盤の画像および当該鍵盤を演奏中の手の画像を所定の撮像手段（実施形態においては、図１および図２のカメラ５に相当する）によって撮像する第２のステップと、楽曲に対する演奏練習用の曲データを作成する際に、第１のステップによって入力された演奏データ並びに第２のステップによって撮像された鍵盤の画像および演奏中の手の画像から検出された手の位置および傾きに基づいて、所定の表示手段（実施形態においては、図２の表示部１５に相当する）に表示して演奏する手の動きを練習するための画像データを含めて作成する第３のステップと、を実行させる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
請求項５の演奏データ作成処理のプログラムにおいて、請求項６に記載したように、第３のステップは、手の甲の複数箇所に施された異なる色彩（実施形態においては、手の甲に貼付された５個のシールに相当する）に基づいて手の位置および傾きを検出するような構成にしてもよい。
【手続補正１０】
【補正対象書類名】明細書
【補正対象項目名】００１３
【補正方法】変更
【補正の内容】
【００１３】
請求項６の演奏データ作成処理のプログラムにおいて、請求項７に記載したように、第３のステップは、各指先に施された異なる色彩（実施形態においては、各指の爪に貼付されたシールに相当する）を検出することによって演奏練習用の運指の画像データを作成するような構成にしてもよい。
【手続補正１１】
【補正対象書類名】明細書
【補正対象項目名】００１４
【補正方法】変更
【補正の内容】
【００１４】
請求項５、６又は７の演奏データ作成処理のプログラムにおいて、請求項８に記載したように、第３のステップによって作成された演奏練習用の画像データが表示手段に表示された場合において、所定の操作手段（実施形態においては、図２のスイッチ部１４に相当する）から入力された修正データに応じて当該画像データを修正する第４のステップをさらに有するような構成にしてもよい。